(57)【要約】【課題】簡単な操作でグループを構成する特定の電話端末同士がインターネットを経由して通話することができるインターネット電話を提供すること。【解決手段】少なくとも２台の電話端末２からなるインターネット電話で、各電話端末２には予め固有のＩＤが付与され、該インターネット電話を管理する管理サーバ６にはグループを構成する電話端末２の管理領域ａを設け、該管理領域ａには各電話端末２に付与されたＩＤとＩＰアドレスとを登録し、各電話端末２は上記管理サーバ６の管理領域ａに登録されたグループを構成する相手のＩＤとＩＰアドレスとを取得し、取得したＩＤとＩＰアドレスに基づいて相手の電話端末２とインターネット経由で相互接続を行うようにした。【選択図】図１
2005229334.tif 000002
【特許請求の範囲】
【請求項１】
少なくとも２台の電話端末から構成されるグループ内で通話を行うインターネット電話で、各電話端末には予め固有のＩＤが付与され、該インターネット電話を管理する管理サーバにはグループを構成する電話端末を管理する管理領域を設け、該管理領域には各電話端末に付与されたＩＤとＩＰアドレスとを登録し、各電話端末は上記管理サーバの管理領域に登録されたグループを構成する相手のＩＤとＩＰアドレスとを取得し、取得したＩＤとＩＰアドレスに基づいてグループ内の相手の電話端末とインターネット経由で相互接続を行うことを特徴とする、インターネット電話。
【請求項２】
前記電話端末にはグループを構成する電話端末が２台の場合には、受話器を外すかオフフックボタンを押下するかの何れかで通信相手の電話端末とインターネット経由で相互接続ができ、グループを構成する電話端末が３台以上の場合には、選択した相手に接続する接続ボタンを選択操作することにより選択した通信相手の電話端末とインターネット経由で相互接続ができる、請求項１記載のインターネット電話。
【発明の詳細な説明】
【技術分野】
【０００１】
本発明は、インターネット電話、詳しくは、ダイヤルアップすることなく特定の電話端末同士がインターネット経由で相互接続されるインターネット電話に関するものである。
【背景技術】
【０００２】
近年、インターネット網を利用して電話をするインターネット電話が普及している。このインターネット電話で使用される電話機にも様々なものが提案されている（例えば、特許文献１）。
【０００３】
この電話機は、インターネット電話とアナログ電話とが利用できるように考案されているものである。
【特許文献１】実用新案登録第３０９２９８３号公報
【発明の開示】
【発明が解決しようとする課題】
【０００４】
本発明が解決しようとする問題点は、上述の電話機の場合にはＩＰ電話とアナログ電話とが共用できる利点があるが、いずれの利用に際しても相手方の電話番号をダイヤルキーにより入力しなければならない点であった。不特定多数の相手と通話をする場合はダイヤルキーによる電話番号の入力は必要であるが、その相手が特定している場合であっても、その都度ダイヤルキーによる電話番号の入力をしなければならない繁雑さがあった。
【０００５】
本発明は、上記問題点を解決し、簡単な操作でグループを構成する特定の電話端末同士がインターネットを経由して通話することができ、操作性に優れたインターネット電話を提供することを課題とする。
【課題を解決するための手段】
【０００６】
前記課題を解決するために本発明に係るインターネット電話は、少なくとも２台の電話端末からなるインターネット電話で、各電話端末には予め固有のＩＤが付与され、該インターネット電話を管理する管理サーバにはグループを構成する電話端末の管理領域を設け、該管理領域には各電話端末に付与されたＩＤとＩＰアドレスとを登録し、各電話端末は上記管理サーバの管理領域に登録されたグループを構成する相手のＩＤとＩＰアドレスとを取得し、取得したＩＤとＩＰアドレスに基づいて相手の電話端末とインターネット経由で相互接続を行うことを特徴とする。
【０００７】
また、前記インターネット電話はグループを構成する電話端末が２台の場合には、受話器を外すかオフフックボタンを押下するかの何れかで通信相手の電話端末とインターネット経由で相互接続ができ、グループを構成する電話端末が３台以上の場合には、相手を選択する接続ボタンを選択操作することにより選択した通信相手の電話端末とインターネット経由で相互接続ができるようにしてもよい。
【発明の効果】
【０００８】
本発明によれば、簡単な操作で、グループ内の特定の電話端末とインターネット接続ができる。
【発明を実施するための最良の形態】
【０００９】
少なくとも２台の電話端末から構成されるグループ内で通話を行うインターネット電話で、各電話端末には予め固有のＩＤが付与され、該インターネット電話を管理する管理サーバにはグループを構成する電話端末を管理する管理領域を設け、該管理領域には各電話端末に付与されたＩＤとＩＰアドレスとを登録し、各電話端末は上記管理サーバの管理領域に登録されたグループを構成する相手のＩＤとＩＰアドレスとを取得し、取得したＩＤとＩＰアドレスに基づいてグループ内の相手の電話端末とインターネット経由で相互接続を行うことができるようにした。
【実施例１】
【００１０】
図１は、本発明に係るインターネット電話の構成の一例を説明するネットワーク図を示し、ユーザーＡとユーザーＢとの２人のユーザーでグループが構成され、２人でインターネット電話を行なう場合について説明する。
【００１１】
ユーザーＡ及びユーザーＢのパソコン端末１（１ａ、１ｂ）と電話端末２（２ａ、２ｂ）とはルーター３（３ａ、３ｂ）を介して各ユーザーが契約しているプロバイダ４（４ａ、４ｂ）を経由してインターネット網５に接続されるとともに、このインターネット網５に接続された管理サーバ６にアクセスできるようになっている。
【００１２】
管理サーバ６はこのシステムで使用される電話端末２に付与されているＩＤとプロバイダ４から付与されたグローバルＩＰアドレス（以下、ＩＰアドレスという）とをグループ毎に管理領域を設定して管理するもので、この管理領域は各電話端末２に設定されているＩＤとプロバイダ４から付与されたＩＰアドレスとを対応させたＩＤ／ＩＰアドレステーブル等で構成されていればよく、この管理領域には夫々アドレスが設定され、このアドレスに基づいて後述するパソコン端末１で、管理領域にアクセスしてＩＤ、ＩＰアドレスとパスワードとを登録するとともに、同一グループ内の他の電話端末２のＩＤ、ＩＰアドレスを入手することができるようになっている。
【００１３】
なお、上述のグループとは、２人以上のユーザーで構成され、各ユーザーは上述したように管理サーバ６の自分のグループの管理領域にアクセスして自分のＩＤ、ＩＰアドレスとパスワードとを登録するとともに、同一グループ内の他の電話端末２のＩＤ、ＩＰアドレスを入手することができるようになっている。
【００１４】
各電話端末２は、図２に示すように、電話機本体２１と受話器２２とで構成され、電話機本体２１にはオフフックボタン２３、オンフックボタン２４と、着信ランプ２５、電源ランプ２６とが配置され、背面にはルーター３と電話機本体２１とをＬＡＮケーブルで接続するための通信ポート（Ｅａｔｈｅｒｎｅｔポート）２７が設けられ、内部には受話器２２を置いたまま通話ができるようにマイクとスピーカ（図示せず）とが配置されている。
【００１５】
受話器２２の表面には接続相手を指定するボタン３０と接続ランプ３１とが配置され、裏面にはマイク３２と、スピーカ３３とが配置されている。
【００１６】
パソコン端末１は、自分の電話端末２のデータを管理サーバ６に登録、及び管理サーバ６に登録されている同一グループ内の他の電話端末２のデータを入手する際に使用するもので、最初に管理サーバ６にアクセスしたパソコン端末１は自分のグループを管理する管理領域ａを作成するとともに、この管理領域ａのアドレスを設定し、以後このアドレスを指定して自分のグループを管理する管理領域ａにアクセスすることになるので、このアドレスはグループを構成する他のメンバーに適宜の方法（口頭、ファックス、メールなど）で伝えればよく、このアドレスを入手した他のメンバーはこのアドレスに従って管理サーバ６の管理領域ａにアクセスし、自分の電話端末２のＩＤ、ＩＰアドレスを登録するとともに、グループを構成する他のメンバーのＩＤ、ＩＰアドレスを入手すればよい。このＩＤ、ＩＰアドレスを登録、入手するためのパソコン端末１は特別な仕様のパソコンである必要はなく、一般的に使用されているインターネット接続可能なパソコンを用いればよい。
【００１７】
そして、自分とグループを構成する他のメンバーのＩＤ、ＩＰアドレスはパソコン端末１から電話端末２に登録すればよい。
【００１８】
なお、このパソコン端末１によるＩＰアドレスの取得、管理領域ａの設定、取得したＩＤ、ＩＰアドレスの電話端末２への登録などは、管理サーバ６にアクセスした際にパソコン端末１の画面に表示されるブラウザのガイダンスにしたがってオペレーションすればよい。
【００１９】
次に、上記構成のインターネット電話で通話を行う場合の流れについて説明する。
【００２０】
パソコン端末１ａ、１ｂをプロバイダ４経由でインターネット網に接続すると（ａ１、ｂ１）、プロバイダ４で端末１ａ、１ｂに対しＩＰアドレスが設定されるので、このＩＰアドレスを取得する（ａ２、ｂ２）。
【００２１】
次に、管理サーバ６にアクセスし自分の所属するグループの管理領域ａのアドレスを入力して管理領域ａにアクセスし、電話端末２のＩＤ、ＩＰアドレス、パスワードを登録する（ａ３、ｂ３）とともに、グループ内の他の電話端末２のＩＤ、ＩＰアドレスが登録されていれば取得する（ａ４、ｂ４）。取得したデータは自己の電話端末２に登録する。グループを構成するユーザーが２人の場合は、通話相手を管理するテーブルにそのまま登録すればよいが、グループが３人以上のユーザーで構成されている場合は、接続ボタンに対応してテーブルに登録すればよい。
【００２２】
なお、上記ＩＰアドレスは、電話端末２をプロバイダ４にアクセスするたびに新たなＩＰアドレスが設定されるので、一旦インターネットに接続した機器をインターネット網から開放した場合は、接続の度に管理サーバ６にＩＰアドレスの更新を行わなければならない。
【００２３】
通話を行う場合は、グループを構成するメンバーが２人の場合は、通話相手は確定しているので、受話器２２を電話機本体２１から外すか、オフフックボタン２３を押下すると、自分の電話端末２に登録されているＩＰアドレスに従って相手の電話端末２に接続をしに行き、接続すると音声はパケットに分割され、ＩＰアドレスが付与されてインターネット網に送出され、パケットに付与されたＩＰアドレスに対応した電話端末にパケットが届くので、受信した端末では受信したパケットを音声データに戻して、通話が成立する。
【００２４】
グループを構成するメンバーが３人以上の場合は、接続ボタン３０を押すと接続ボタン３０に対応したＩＤとＩＰアドレスとがテーブルから読み出され、読み出したＩＰアドレスに従って相手の電話端末との接続が行なわれる。
【図面の簡単な説明】
【００２５】
【図１】本発明のインターネット電話の構成の一例を示すネットワーク図
【図２】（ａ）〜（ｃ）は電話端末の正面図、受話器の背面図及び電話端末の側面図
【図３】上記インターネット電話の作動態様を説明する流れ図
【図４】上記インターネット電話の作動態様を説明する流れ図
【符号の説明】
【００２６】
１    パソコン端末
２    電話端末
３    ルーター
４    プロバイダ
５    インターネット網
６    管理サーバ
ａ    管理領域
【図１】
2005229334.tif 000003
【図２】
2005229334.tif 000004
【図３】
2005229334.tif 000005
【図４】
2005229334.tif 000006